(57)【要約】      （修正有）【課題】カテーテルを良好に誘導できるガイドワイヤを提供する。【解決手段】ガイドワイヤ１０００は、湾曲自在で中空のワイヤ本体１１００の中空の内部にスライド自在に挿通されている操作ケーブル１２００が遠位端で偏心して接続されており、その操作ケーブル１２００の近位端部が屈曲操作機構１３００によりスライド移動されてワイヤ本体１１００の少なくとも遠位端部１１１０が屈曲される。このガイドワイヤ１０００がチューブ状のカテーテル２０００に挿通されてカテーテルシステム１００として利用される。このカテーテルシステム１００では、ガイドワイヤ１０００の遠位端部１１１０が近位端部の屈曲操作機構１３００の手動操作により自在に湾曲する。【選択図】図１
2011062320.tif 000002
【特許請求の範囲】
【請求項１】
カテーテルを誘導するガイドワイヤであって、
湾曲自在で中空のワイヤ本体と、
前記ワイヤ本体の中空の内部にスライド自在に挿通されていて相互の遠位端で偏心して接続されている操作ケーブルと、
前記操作ケーブルの近位端部をスライド移動させて前記ワイヤ本体の遠位端部を屈曲させる屈曲操作機構と、
を有するガイドワイヤ。
【請求項２】
前記ワイヤ本体は、前記遠位端部の遠位から近位の方向で屈曲割合が不均等となるよう形成されている請求項１に記載のガイドワイヤ。
【請求項３】
前記ワイヤ本体は、前記遠位端部が遠位から近位の方向で複数の屈曲自在な可曲部位に分割されており、複数の前記可曲部位の前記屈曲割合が相違する請求項２に記載のガイドワイヤ。
【請求項４】
前記ワイヤ本体は、巻線コイルからなり、複数の前記可曲部位は前記巻線コイルの巻回ピッチが相違する請求項３に記載のガイドワイヤ。
【請求項５】
前記ワイヤ本体は、遠位から近位の方向で前記巻回ピッチが密および粗および密の三つの前記可曲部位を少なくとも有する請求項４に記載のガイドワイヤ。
【請求項６】
前記ワイヤ本体の中空の内部に挿通されていて前記可曲部位の内部で遠位ほど先鋭な心材を、さらに有する請求項１ないし５の何れか一項に記載のガイドワイヤ。
【請求項７】
前記心材の外周面に形成されている凹溝に前記操作ケーブルがスライド自在に挿通されている請求項６に記載のガイドワイヤ。
【請求項８】
前記心材の外周面に樹脂層が形成されており、この樹脂層に形成されている凹溝か貫通孔かの少なくとも一方に前記操作ケーブルがスライド自在に挿通されている請求項６に記載のガイドワイヤ。
【請求項９】
請求項１ないし８に記載のガイドワイヤと、
前記ガイドワイヤが挿通されているチューブ状のカテーテルと、
を有するカテーテルシステム。
【発明の詳細な説明】
【技術分野】
【０００１】
本発明は、カテーテルを血管に誘導するために利用されるガイドワイヤ、このガイドワイヤとカテーテルからなるカテーテルシステムに関する。
【背景技術】
【０００２】
近年、各種のカテーテルシステムが医療現場で利用されている。例えば、遠位端部が屈曲したガイドワイヤを利用して、複雑に分岐している血管の所望の部位にカテーテルを誘導するカテーテルシステムがある。
【先行技術文献】
【特許文献】
【０００３】
【特許文献１】特開２００４−１８０８９１号公報
【特許文献２】特開平０６−２１８０６０号公報
【発明の概要】
【発明が解決しようとする課題】
【０００４】
上述のようなカテーテルシステムは、ガイドワイヤを利用してカテーテルの遠位端部を屈曲させ、分岐している血管の所望の部位に誘導する。しかし、このようなカテーテルシステムでは、カテーテルの誘導がガイドワイヤの遠位端部の屈曲形状に依存することになり、その自由度が低いことになる。
【０００５】
例えば、鋭角に分岐している血管にカテーテルを誘導するような場合、そこにガイドワイヤを挿通させてカテーテルを誘導することになる。しかし、ガイドワイヤの遠位端部の屈曲形状と血管の分岐形状との整合性が良好でないような場合、カテーテルの誘導が困難な場合がある。
【０００６】
本発明は上記課題に鑑みてなされたものであり、カテーテルを良好な自由度で誘導することができるガイドワイヤ、このガイドワイヤとカテーテルからなるカテーテルシステム、を提供するものである。
【課題を解決するための手段】
【０００７】
本発明のガイドワイヤは、カテーテルを誘導するガイドワイヤであって、湾曲自在で中空のワイヤ本体と、ワイヤ本体の中空の内部にスライド自在に挿通されていて相互の遠位端で偏心して接続されている操作ケーブルと、操作ケーブルの近位端部をスライド移動させてワイヤ本体の遠位端部を屈曲させる屈曲操作機構と、を有する。
【０００８】
従って、本発明のガイドワイヤでは、湾曲自在なワイヤ本体の中空の内部にスライド自在に挿通されている操作ケーブルが遠位端で偏心して接続されており、その操作ケーブルの近位端部が屈曲操作機構によりスライド移動されてワイヤ本体の少なくとも遠位端部が屈曲される。このガイドワイヤがチューブ状のカテーテルに挿通されてカテーテルシステムとして利用される。このカテーテルシステムでは、ガイドワイヤの遠位端部が近位端部の屈曲操作機構の操作により自在に湾曲する。
【０００９】
また、上述のようなガイドワイヤにおいて、ワイヤ本体は、遠位端部の遠位から近位の方向で屈曲割合が不均等となるよう形成されていてもよい。
【００１０】
また、上述のようなガイドワイヤにおいて、ワイヤ本体は、遠位端部が遠位から近位の方向で複数の屈曲自在な可曲部位に分割されており、複数の可曲部位の屈曲割合が相違してもよい。
【００１１】
また、上述のようなガイドワイヤにおいて、ワイヤ本体は、巻線コイルからなり、複数の可曲部位は巻線コイルの巻回ピッチが相違してもよい。
【００１２】
また、上述のようなガイドワイヤにおいて、ワイヤ本体は、遠位から近位の方向で巻回ピッチが密および粗および密の三つの可曲部位を少なくとも有してもよい。
【００１３】
また、上述のようなガイドワイヤにおいて、ワイヤ本体の中空の内部に挿通されていて可曲部位の内部で遠位ほど先鋭な心材を、さらに有してもよい。
【００１４】
また、上述のようなガイドワイヤにおいて、心材の外周面に形成されている凹溝に操作ケーブルがスライド自在に挿通されていてもよい。
【００１５】
また、上述のようなガイドワイヤにおいて、心材の外周面に樹脂層が形成されており、この樹脂層に形成されている凹溝か貫通孔かの少なくとも一方に操作ケーブルがスライド自在に挿通されていてもよい。
【００１６】
また、本発明のカテーテルシステムは、本発明のガイドワイヤと、ガイドワイヤが挿通されているチューブ状のカテーテルと、を有する。
【００１７】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１８】
また、本発明で云う屈曲割合が相違するとは、円弧状の屈曲の曲率が相違すること、円弧状の異形の屈曲の形状が相違すること、これらの組み合わせ、の少なくとも一つであることを意味している。
【発明の効果】
【００１９】
本発明のガイドワイヤは、チューブ状のカテーテルに挿通されてカテーテルシステムとして利用される。このカテーテルシステムでは、ガイドワイヤの遠位端部が近位端部の屈曲操作機構の操作により自在に湾曲する。従って、複雑な構造の血管にカテーテルを誘導する操作性が良好である。
【図面の簡単な説明】
【００２０】
【図１】本発明の実施の形態のカテーテルシステムの全体を示す側面図である。
【図２】ガイドワイヤの全体を示す側面図である。
【図３】ガイドワイヤの内部構造を示す縦断側面図である。
【図４】ガイドワイヤの内部構造を示す縦断正面図である。
【図５】屈曲操作機構の操作により複数の可曲部位が屈曲する状態を示す模式図である。
【図６】一の変形例のガイドワイヤの内部構造を示す縦断正面図である。
【図７】他の変形例のガイドワイヤの内部構造を示す縦断側面図である。
【図８】屈曲操作機構の操作により複数の可曲部位が屈曲する状態を示す模式図である。
【図９】さらに他の変形例のガイドワイヤの内部構造を示す縦断側面図である。
【図１０】屈曲操作機構の操作により複数の可曲部位が屈曲する状態を示す模式図である。
【図１１】ガイドワイヤの内部構造を示す縦断正面図である。
【図１２】さらに他の変形例のガイドワイヤの内部構造を示す縦断側面図である。
【図１３】屈曲操作機構の操作により複数の可曲部位が屈曲する状態を示す模式図である。
【図１４】さらに他の変形例のガイドワイヤの内部構造を示す縦断側面図である。
【発明を実施するための形態】
【００２１】
以下、本発明の実施形態を図面に基づいて説明する。なお、すべての図面において、同様な構成要素には同様の符号を付し、適宜説明を省略する。本実施の形態のカテーテルシステム１００は、図１に示すように、ガイドワイヤ１０００と、ガイドワイヤ１０００が挿通されているチューブ状のカテーテル２０００と、を有する。
【００２２】
本実施の形態のガイドワイヤ１０００は、カテーテルシステム１００のカテーテル２０００を誘導する。このため、本実施の形態のガイドワイヤ１０００は、図２および図３に示すように、湾曲自在で中空のワイヤ本体１１００と、ワイヤ本体１１００の中空の内部にスライド自在に挿通されていて相互の最遠位端１１１４，１２１０で偏心して溶接や接着で接続されている操作ケーブル１２００と、操作ケーブル１２００の近位端部１２２０をスライド移動させてワイヤ本体１１００の少なくとも遠位端部１１１０を屈曲させる屈曲操作機構１３００と、を有する。
【００２３】
より詳細には、ワイヤ本体１１００は、遠位端部１１１０が遠位から近位の方向で三つの可曲部位１１１１〜１１１３に分割されており、詳細には後述するが、三つの可曲部位１１１１〜１１１３の屈曲割合が相違している。
【００２４】
このため、ワイヤ本体１１００は、遠位から近位の方向で屈曲割合が不均等となっている。なお、本実施の形態では、三つの可曲部位１１１１〜１１１３は、例えば、線形方向で同一長さに形成されている。
【００２５】
また、ワイヤ本体１１００は、例えば、ステンレス、ニッケルチタン合金、鋼、チタン、等の巻線コイルからなり、三つの可曲部位１１１１〜１１１３は巻回ピッチが相違している。
【００２６】
本実施の形態のガイドワイヤ１０００では、三つの可曲部位１１１１〜１１１３の巻回ピッチが、遠位から近位の方向で密および粗および密となっている。なお、本実施の形態のガイドワイヤ１０００では、可曲部位１１１１〜１１１３より近位の部分は最密に巻回された巻線コイルからなる。
【００２７】
また、屈曲操作機構１３００は、ガイドワイヤ１０００の近位端部に形成されたチューブ状のハンドル部１３１０と、そこに前後方向にスライド自在に装着されていて操作ケーブル１２００に接続されている操作ノブ１３２０からなる。
【００２８】
また、本実施の形態のガイドワイヤ１０００では、可曲部位１１１１〜１１１３の内部で遠位ほど先鋭な心材１４００が、ワイヤ本体１１００の中空の内部に挿通されている。この心材１４００も、最遠位端１４１０が操作ケーブル１２００の最遠位端１１１４に溶接や接着で接続されている。
【００２９】
この心材１４００は、図３および図４に示すように、外周面に凹溝１４２０が形成されており、そこに操作ケーブル１２００がスライド自在に挿通されている。図４に示すように、心材１４００は、外周面が樹脂層１４３０でコーティングされている。
【００３０】
この樹脂層１４３０は、ワイヤ本体１１００の内周面に心材１４００が直接接触している状態より摩耗を抑制する物理特性を有している。このような樹脂層１４３０は、例えば、ポリエーテルエーテルケトン（ＰＥＥＫ）、ポリサルホン（ＰＳＦ）、ポリテトラフルオロエチレン(ＰＴＦＥ)、ポリフッ化ビニデレン(ＰＶＤＦ)などのフッ素系高分子材料、シリコン樹脂、等で形成されている。
【００３１】
上述のような構成において、本実施の形態のガイドワイヤ１０００では、図３に示すように、湾曲自在で中空のワイヤ本体１１００の中空の内部に操作ケーブル１２００がスライド自在に挿通されている。
【００３２】
この操作ケーブル１２００が最遠位端１２１０で偏心してワイヤ本体１１００に接続されており、その操作ケーブル１２００の近位端部１２２０が屈曲操作機構１３００によりスライド移動されてワイヤ本体１１００の少なくとも遠位端部１１１０が屈曲される。
【００３３】
このガイドワイヤ１０００がチューブ状のカテーテル２０００に挿通されてカテーテルシステム１００として利用される。このカテーテルシステム１００では、ガイドワイヤ１０００の遠位端部１１１０が近位端部１２２０の屈曲操作機構１３００の手動操作により自在に湾曲する。従って、複雑な形態の血管にカテーテル２０００を誘導する操作性が良好である。
【００３４】
しかも、本実施の形態のガイドワイヤ１０００では、ワイヤ本体１１００の遠位端部１１１０が遠位から近位の方向で三つの可曲部位１１１１〜１１１３に分割されており、三つの可曲部位１１１１〜１１１３の屈曲割合が相違している。
【００３５】
このため、図５(ａ)(ｂ)に示すように、屈曲操作機構１３００を手動操作しはじめると、ワイヤ本体１１００の最遠位端１１１４に偏心して接続されている操作ケーブル１２００に張力が発生する。
【００３６】
このため、最初は最遠位の第一の可曲部位１１１１のみ円弧状に湾曲する。これは可曲部位１１１１〜１１１３の巻回ピッチの差異と、心材１４００の直径の差異に起因する。
【００３７】
つぎに、さらに屈曲操作機構１３００を手動操作すると、第一の可曲部位１１１１が小径の円弧状に湾曲した状態で、図５(ｃ)に示すように、第二の可曲部位１１１２が大径の円弧状に湾曲する。
【００３８】
さらに屈曲操作機構１３００を手動操作すると、第一の可曲部位１１１１が小径の円弧状に湾曲し、第二の可曲部位１１１２が大径の円弧状に湾曲した状態で、最近位の第三の可曲部位１１１３が小径の円弧状に湾曲する。
【００３９】
これらも、可曲部位１１１１〜１１１３の巻回ピッチの差異と、心材１４００の直径の差異に起因する。このため、本実施の形態のガイドワイヤ１０００は、従来では困難であった複雑な構造の血管にも容易に侵入することができる。従って、従来の一般的なカテーテル２０００を、複雑な構造の血管に良好に誘導することができる。
【００４０】
しかも、ガイドワイヤ１０００のワイヤ本体１１００が巻回コイルからなり、その巻回ピッチを相違させることと、心材１４００の直径を相違させることとの組み合わせにより、上述のような三つの可曲部位１１１１〜１１１３の段階的な屈曲を実現している。このため、各々所定の割合で順番に屈曲する可曲部位１１１１〜１１１３を簡単な構造で実現することができる。
【００４１】
なお、本発明は上述の実施形態に限定されるものではなく、本発明の目的が達成される限りにおける種々の変形、改良等の態様も含む。例えば、上記形態では巻回コイルからなるワイヤ本体１１００の巻回ピッチを相違させることと、心材１４００の直径を相違させることとの組み合わせにより、三つの可曲部位１１１１〜１１１３の段階的な屈曲を実現することを例示した。
【００４２】
しかし、このような可曲部位１１１１〜１１１３の段階的な屈曲を、巻回コイルからなるワイヤ本体１１００の巻回ピッチを相違させることも可能である。この場合、心材の直径は均一としておき、可曲部位１１１１〜１１１３の巻回ピッチのみを段階的に変化させておいてもよい(図示せず)。
【００４３】
また、可曲部位１１１１〜１１１３の段階的な屈曲を、心材１４００の直径を相違させることで実現することも可能である。この場合、可曲部位１１１１〜１１１３の巻回ピッチを均一としておき、心材１４００の直径を可曲部位１１１１〜１１１３の位置で段階的に先鋭に変化させておいてもよい(図示せず)。
【００４４】
また、可曲部位１１１１〜１１１３で巻回の直径が相違していてもよい。さらに、ワイヤ本体１１００を形成している巻回コイルの巻線の直径が可曲部位１１１１〜１１１３ごとに相違していてもよい(ともに図示せず)。
【００４５】
さらに、上記形態ではワイヤ本体１１００の巻回ピッチを相違させて、屈曲割合が相違する三つの可曲部位１１１１〜１１１３を形成することを例示した。しかし、このように屈曲割合が相違する可曲部位を四つ以上とすることや二つとすることもできる(図示せず)。
【００４６】
また、上記形態では三つの可曲部位１１１１〜１１１３が線形方向で同一長さに形成されていることを例示した。しかし、このような可曲部位１１１１〜１１１３の線形方向での長さを相違させておいてもよい。
【００４７】
例えば、第一の可曲部位１１１１を最短に形成するとともに第三の可曲部位１１１３を最長に形成しておくことや、反対に第一の可曲部位１１１１を最長に形成するとともに第三の可曲部位１１１３を最短に形成しておくことも想定できる。
【００４８】
さらに、三つの可曲部位１１１１〜１１１３の長さが、５４＞５３＞５５、などとなっていてもよい(何れも図示せず)。上述のように可曲部位１１１１〜１１１３の比率を設定しておくことにより、例えば、各種の形態の血管に対応することが容易となる。
【００４９】
さらに、上記形態ではワイヤ本体１１００が巻回コイルからなることを例示した。しかし、このようなワイヤ本体を樹脂チューブで形成することもできる。その場合、屈曲割合が相違する複数の可曲部位は、例えば、樹脂チューブの膜厚の相違で形成することができる。
【００５０】
より具体的には、ワイヤ本体の遠位端部の膜厚を、遠位から近位の方向で薄膜および厚膜および薄膜とすることにより、三つの可曲部位を形成しておくことが想定できる(図示せず)。
【００５１】
また、上記形態では心材１４００の外周面に凹溝１４２０を形成しておき、その外周面に樹脂層１４３０を形成しておくことを例示した。しかし、図６に例示するガイドワイヤ３０００のように、心材１４００の表面に厚膜の樹脂層３１００を形成しておき、そこに凹溝(図示せず)や貫通孔３１０１を形成して操作ケーブル１２００をスライド自在に挿通させてもよい。
【００５２】
このような樹脂層３１００は、例えば、熱可塑性ポリマーで形成される。一例として、ＰＩ、ＰＡＩ、ＰＥＴ(Polyethylene Terephthalate)のほか、ポリエチレン（ＰＥ）、ポリアミド（ＰＡ）、ナイロンエラストマー、ポリウレタン（ＰＵ）、エチレン−酢酸ビニル樹脂（ＥＶＡ）、ポリ塩化ビニル（ＰＶＣ）またはポリプロピレン（ＰＰ）などを用いることができる。
【００５３】
なお、樹脂層３１００の凹溝(図示せず)や貫通孔３１０１は、樹脂層３１００を心材１４００とともに押出成形するときに、予めチューブ状に成形された中空管(図示せず)を共押出成形することで形成できる。
【００５４】
このような中空管には、耐熱性、柔軟性および摺動性の高い熱可塑性のポリマー材料が好適に用いられる。具体的には、ＰＴＦＥ（Polytetrafluoroethylene）、ＰＦＡ(perfluoro alkoxyl alkane polymer resin)もしくは四フッ化エチレン・六フッ化プロピレン共重合体（ＦＥＰ）などのフッ素系ポリマー材料を用いることができる。
【００５５】
このほか、ＰＩ、ＰＡＩ、ポリサルフォン（ＰＳＦ）、ポリエーテルサルフォン（ＰＥＳ）、ポリフェニレンサルファイド（ＰＰＳ）、ポリエーテルエーテルケトン（ＰＥＥＫ）、ポリエーテルイミド（ＰＥＩ）もしくは液晶ポリマー（ＬＣＰ）などの非フッ素系ポリマー材料を用いることもできる。
【００５６】
さらに、上記形態ではガイドワイヤ１０００のワイヤ本体１１００の内部に操作ケーブル１２００を一本のみ挿通させておき、可曲部位１１１１〜１１１３を一方向のみ屈曲させることを例示した。
【００５７】
しかし、このような操作ケーブル１２００を複数としておき、可曲部位１１１１〜１１１３を複数の方向に屈曲させることもできる(図示せず)。例えば、図７および図８に例示するガイドワイヤ４０００のように、一対の操作ケーブル１２００，４２００を軸心を中心に相反する位置に配置しておくこともできる。
【００５８】
この場合、図８に示すように、一対の屈曲操作機構１３００，４３００の手動操作により、可曲部位１１１１〜１１１３を両側に各々屈曲させることができるので、よりカテーテル２０００の誘導の自由度を向上させることができる。さらに、一対の屈曲操作機構１３００，４３００を同時に操作することにより、可曲部位１１１１〜１１１３の屈曲度合を微妙に変化させるようなこともできる。
【００５９】
さらに、ガイドワイヤ１０００のワイヤ本体１１００の内部に複数の操作ケーブル１２００を挿通させ、その先端を可曲部位１１１１〜１１１３の各々の先端に接続しておくことも想定できる。
【００６０】
例えば、図９に例示するガイドワイヤ５０００のように、第一の操作ケーブル５１００の先端を第一の可曲部位１１１１の先端に接続するとともに、軸心から同一方向で第二の操作ケーブル５２００を第二の可曲部位１１１２の先端に接続することもできる。
【００６１】
この場合、図１０に示すように、第一／第二の屈曲操作機構１３００，５３００の選択的な手動操作により、図１０(ｂ)に示すように、ガイドワイヤ５０００の第一の可曲部位１１１１のみを屈曲させるだけでなく、図１０(ｃ)に示すように、第一の可曲部位１１１１と第二の可曲部位１１１２を屈曲させることもでき、図１０(ｄ)に示すように、第一の可曲部位１１１１を屈曲させることなく第二の可曲部位１１１２を屈曲させることまでできる。
【００６２】
なお、上述のようにワイヤ本体１１００の軸心から同一方向で第一／第二の操作ケーブル５１００，５２００を挿通させることは、図１１に示すように、前述のように心材１４００の外周面に凹溝１４２０を形成して操作ケーブル５１００を挿通させるとともに、その外周面に形成した厚膜の樹脂層３１００に凹溝(図示せず)や貫通孔３１０１を形成して操作ケーブル５２００を挿通させればよい。
【００６３】
一方、図１２に例示するガイドワイヤ６０００のように、第一の操作ケーブル６１００の先端を第一の可曲部位１１１１の先端に接続するとともに、軸心から反対方向で第二の操作ケーブル６２００を第二の可曲部位１１１２の先端に接続するようなこともできる。
【００６４】
この場合、図１３に示すように、第一／第二の屈曲操作機構１３００，６３００の選択的な手動操作により、図１３(ｂ)に示すように、ガイドワイヤ６０００の第一の可曲部位１１１１のみを屈曲させるだけでなく、図１３(ｃ)に示すように、第一の可曲部位１１１１を屈曲させることなく第二の可曲部位１１１２を屈曲させることもでき、図１３(ｄ)に示すように、第一の可曲部位１１１１と第二の可曲部位１１１２とを反対方向に屈曲させることまでできる。
【００６５】
当然ながら、上述のような複数の操作ケーブル５１００，５２００，６１００，６２００の構成を組み合わせるようなこともできる。これにより、極めて複雑な形状の血管にガイドワイヤを挿通させるようなことが可能となる(図示せず)。
【００６６】
さらに、上記形態ではワイヤ本体１１００の内部に操作ケーブル１２００を直線状に張架しておき、可曲部位１１１１〜１１１３を平面曲線として屈曲させることを例示した。
【００６７】
しかし、図１４に例示するガイドワイヤ７０００のように、可曲部位１１１１〜１１１３で心材１４００に操作ケーブル１２００を螺旋状に巻回させておくことにより、可曲部位１１１１〜１１１３を螺旋状の空間曲線として屈曲させることもできる(図示せず)。これにより、ガイドワイヤ７０００を近位操作で回転させなくとも、その遠位端部を旋回させることができる。
【００６８】
この場合、可曲部位１１１１〜１１１３の位置で、心材１４００の表面に操作ケーブル１２００が挿通する凹溝１４２０を螺旋状に形成しておけばよい。なお、可曲部位１１１１〜１１１３より近位の部分では、不要な屈曲が発生しないように凹溝１４２０を直線状に形成しておくことが好適である。
【符号の説明】
【００６９】
１００    カテーテルシステム
１０００    ガイドワイヤ
１１００    ワイヤ本体
１１１０    遠位端部
１１１１    可曲部位
１１１２    可曲部位
１１１３    可曲部位
１１１４    最遠位端
１２００    操作ケーブル
１２１０    最遠位端
１２２０    近位端部
１３００    屈曲操作機構
１３１０    ハンドル部
１３２０    操作ノブ
１４００    心材
１４１０    最遠位端
１４２０    凹溝
１４３０    樹脂層
２０００    カテーテル
３０００    ガイドワイヤ
３１００    樹脂層
３１０１    貫通孔
４０００    ガイドワイヤ
４２００    操作ケーブル
４３００    屈曲操作機構
５０００    ガイドワイヤ
５１００    操作ケーブル
５２００    操作ケーブル
５３００    屈曲操作機構
６０００    ガイドワイヤ
６１００    操作ケーブル
６２００    操作ケーブル
６３００    屈曲操作機構
７０００    ガイドワイヤ
【図１】
2011062320.tif 000003
【図２】
2011062320.tif 000004
【図３】
2011062320.tif 000005
【図４】
2011062320.tif 000006
【図５】
2011062320.tif 000007
【図６】
2011062320.tif 000008
【図７】
2011062320.tif 000009
【図８】
2011062320.tif 000010
【図９】
2011062320.tif 000011
【図１０】
2011062320.tif 000012
【図１１】
2011062320.tif 000013
【図１２】
2011062320.tif 000014
【図１３】
2011062320.tif 000015
【図１４】
2011062320.tif 000016